(57)【特許請求の範囲】
【請求項１】
天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記フレームの一側面に前記吐出口と連通しダクトと接続される突出形状を有したアダプターと、前記開口を前記室内側から覆って着脱自在に装着される化粧パネルと、前記遠心送風羽根を回転駆動する電動機を前記フレームの天面に備え、前記吸込口を形成するオリフィスを有したケーシングカバーを前記ケーシングの下面の前記吸込口を覆い、前記フレームの外郭を形成している面のうち少なくとも一面に傾斜形状部を設け、前記フレームの天面上の前記電動機の近傍に電源接続部を設けたものであって、前記アダプターと前記フレームとの接合部分にそれぞれ対応する凸凹形状を有し、前記アダプターと前記フレームとの接合手段を、前記アダプター側に設ける爪形状部によって上下にスライドさせ前記アダプターと前記フレームとを取り外し可能とした迷路構造としたことを特徴とする天井埋込形換気扇。
【発明の詳細な説明】
【技術分野】
【０００１】
本発明は、主に浴室の天井面に取り付けられ、屋外と本体とをダクトによって連通し、浴室内の空気を換気する天井埋込形換気扇に関する。
【背景技術】
【０００２】
従来、この種の天井埋込形換気扇の一例として、特許文献１に記載されたものが知られている。
【０００３】
以下、その天井埋込形換気扇について、図８を参照しながら説明する。
【０００４】
図８に示す通り、この換気扇本体１０１における本体ケース１０２の内部上方には電動機１０３が固定されている。電動機１０３の回転軸１０４には送風羽根１０５が固定され、電動送風機を形成している。前記の送風羽根１０５はケーシング１０６の外縁側立設部にて形成された吸気室内に配設されたものであり、その下方に位置するオリフィス形状をした吸気口１０７から室内空気を吸気し、側方に位置する排気口１０８から室外へと排気する。また、前記送風羽根１０５の下方は、前記吸気口１０７が形成された上記ケーシング１０６の底部１０６ａによって覆われている。
【先行技術文献】
【特許文献】
【０００５】
【特許文献１】特許第２８２６２４７号公報
【発明の概要】
【発明が解決しようとする課題】
【０００６】
このような従来の天井埋込形換気扇では、浴室に取り付けられた天井埋込形換気扇のケーシング１０６内部で発生した結露水はダクト１０９より排出されるが、ダクト１０９以外で発生した結露水は浴室内に滴下してしまい、入浴中のユーザーに降りかかる、という課題がある。
【０００７】
本発明は、このような従来の課題を解決するものであり、浴室に取り付けられた天井埋込形換気扇のダクト以外の部分で発生した結露水の発生を抑え、入浴中のユーザーに結露水が降りかかることを防止できる天井埋込形換気扇を提供することを目的とする。
【課題を解決するための手段】
【０００８】
そして、この目的を達成するために、本発明は、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記フレームの一側面に前記吐出口と連通しダクトと接続される突出形状を有したアダプターと、前記開口を前記室内側から覆って着脱自在に装着される化粧パネルと、前記遠心送風羽根を回転駆動する電動機を前記フレームの天面に備え、前記吸込口を形成するオリフィスを有したケーシングカバーを前記ケーシングの下面の前記吸込口を覆うように備えた天井埋込形換気扇であって、前記フレームの外郭を形成している面のうち少なくとも一面に傾斜形状部を設け、前記フレームの天面上の前記電動機の近傍に電源接続部を設けたものであり、これにより所期の目的を達成するものである。
【発明の効果】
【０００９】
本発明によれば、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記フレームの一側面に前記吐出口と連通しダクトと接続される突出形状を有したアダプターと、前記開口を前記室内側から覆って着脱自在に装着される化粧パネルと、前記遠心送風羽根を回転駆動する電動機を前記フレームの天面に備え、前記吸込口を形成するオリフィスを有したケーシングカバーを前記ケーシングの下面の前記吸込口を覆うように備えた天井埋込形換気扇であって、前記フレームの外郭を形成している面のうち少なくとも一面に傾斜形状部を設け、前記フレームの天面上の前記電動機の近傍に電源接続部を設けたという構成にしたことにより、浴室に取り付けられた天井埋込形換気扇のダクト以外の部分で発生した結露水の発生を抑え、入浴中のユーザーに結露水が降りかかることを防止できるという効果を得ることができる。
【図面の簡単な説明】
【００１０】
【図１】本発明の実施の形態１の天井埋込形換気扇の部品構成を下方より示す分解斜視図
【図２】同換気装置の部品構成を上方より示す分解斜視図
【図３】同換気装置の取付状態を示す断面図
【図４】同換気装置の取付過程状態を示す側面図
【図５】同換気装置のフレームとアダプターの接合部のパッキン部材を示す斜視図
【図６】同換気装置のフレームとアダプターの接合部の凸凹形状を示す斜視図
【図７】同換気装置のフレームとアダプターの接合部の凸凹形状を示す断面図
【図８】従来の浴室に取付けられる天井埋込形換気扇を示す断面図
【発明を実施するための形態】
【００１１】
本発明の換気装置は、天井裏に挿入して取り付けられ、下面に室内側に臨む開口を有する箱状のフレームと、前記フレーム内に、下面に吸込口を有し側面に吐出口を有したスクロール状のケーシングと、前記ケーシング内に配設される遠心送風羽根と、前記フレームの一側面に前記吐出口と連通しダクトと接続される突出形状を有したアダプターと、前記開口を前記室内側から覆って着脱自在に装着される化粧パネルと、前記遠心送風羽根を回転駆動する電動機を前記フレームの天面に備え、前記吸込口を形成するオリフィスを有したケーシングカバーを前記ケーシングの下面の前記吸込口を覆うように備えた天井埋込形換気扇であって、前記フレームの外郭を形成している面のうち少なくとも一面に傾斜形状部を設け、前記フレームの天面上の前記電動機の近傍に電源接続部を設けたという構成を有する。これにより、フレームの外郭を形成する少なくとも一面を傾斜形状部とすることで、フレームの外郭の表面積を少なくすることでき、浴室空間と天井裏空間の温度境界となりうる面積を減少させ、また、電源接続部を天面上に配することで、電動機へ電源を供給する電源線をフレームの内部に引き込むことがないのでフレームに電源引き込み穴を設ける必要がなく、フレームの内部への冷気の侵入を防止することとなるので、浴室に取り付けられた天井埋込形換気扇のダクト以外の部分で発生した結露水の発生を抑え、入浴中のユーザーに結露水が降りかかることを防止できるという効果を奏する。
【００１２】
また、傾斜形状部を、アダプターを有する面と対向する位置に配置し、上方に向かうに従って前記アダプター側に傾斜している構成にしてもよい。これにより、突出形状を有したアダプターを先に天井裏に挿入してから回転させ本体を天井裏に挿入するとき、形成した傾斜形状部により天井に設けた開口穴に引っかかることなく天井埋込形換気扇を取付けることとなるので、アダプターを外すことなく天井埋込形換気扇を取付けることができ、施工性を向上させることができるという効果を奏する。
【００１３】
また、天面を、電動機の外郭の大きさよりも大きく、スクロール状のケーシングの大きさよりも小さい鋼板の板で形成したという構成にしてもよい。これにより、鋼板の板の面積を小さくし、冷気がフレーム内に伝導することを低減し、フレーム内の天面から発生する結露水を削減することとなるので、フレームの天面からの結露水の発生量を少なくすることができるという効果を奏する。
【００１４】
また、天面の下部に樹脂の板を設け、樹脂の前記板には電動機の外郭の大きさよりも少し大きい穴を設け、前記穴を貫通させて前記電動機を前記天面に固定したという構成にしてもよい。これにより、樹脂の板により冷気がフレーム内に伝導すること防ぎ、フレーム内の天面から発生する結露水を削減することとなるので、フレームの天面からの結露水の発生量を少なくすることができるという効果を奏する。
【００１５】
また、天面を樹脂の板で形成し、樹脂の前記板には電動機の外郭の大きさよりも少し大きい穴を設け、前記穴を貫通させて前記電動機を前記天面に固定したという構成にしてもよい。これにより、樹脂の板により冷気がフレーム内に伝導すること防ぎ、フレーム内の天面から発生する結露水を削減することとなるので、フレームの天面からの結露水の発生量を少なくすることができるとともに、天井埋込形換気扇を軽量化、コストを低減することができるという効果を奏する。
【００１６】
また、ケーシングとフレームとを同一部品で形成し、オリフィスを有したケーシングカバーを前記ケーシングの下面の吸込口を覆うように室内側の下面から取付けられるという構成にしてもよい。これにより、ケーシングとフレームとを同一部品で形成することで部品の継ぎ目が少なくなり、部品の継ぎ目からの冷気の侵入や、発生した結露水が部品の継ぎ目から流れ出ることを防ぐ。またケーシングカバーを室内側下面から取付けるので、取付け状態のままであっても、ケーシングカバーを室内側から外すことにより羽根のメンテナンスや取替えを容易に行うこととなるので、フレームの内部からの結露水発生量を少なくすることができるとともに、天井埋込形換気扇のメンテナンス性を向上させることができるという効果を奏する。
【００１７】
また、ケーシングカバーに備えたオリフィスのベルマウス高さを、アダプターの先端の筒形状の下面高さよりも高くするという構成にしてもよい。これにより、ベルマウス高さを、アダプター先端の筒形状下面高さよりも高くし、ケーシング内で発生した結露水はベルマウスを超え浴室内に滴下する前にフレームから吐出口、ダクトを経由し屋外へ排出されることとなるので、入浴中のユーザーに結露水が降りかかることを防止できるという効果を奏する。
【００１８】
また、ケーシングカバーの内底面に、吸湿材を貼り付けたという構成にしてもよい。これにより、吸湿材で結露水を吸収し、結露水の滴下を防ぐこととなるので、別部材を用いず、入浴中のユーザーに結露水が降りかかることを防止できるという効果を奏する。
【００１９】
また、遠心送風羽根の主板が、電動機を下面からみて完全に覆うという構成にしてもよい。これにより、遠心送風羽根によって電動機を覆い、電動機表面に湿気の接触のリスクを減らし、錆および結露水の発生を防ぐこととなるので、別部材を用いず、入浴中のユーザーに結露水が降りかかることを防止できるという効果を奏する。
【００２０】
また、遠心送風羽根の中心に備えたボス形状の下端を閉鎖し、電動機のシャフトに圧入し固定するという構成にしてもよい。これにより、遠心送風羽根の中心に備えたボス形状の下端を閉鎖し、電動機のシャフトに圧入し固定し、遠心送風羽根の固定に金属製のナットや別部材を使用しなくても良く、電動機のシャフトも浴室空間に露出することがなくなり、天井裏からの熱伝導により羽根固定部付近の結露発生を防ぐこととなるので、別部材を用いず、入浴中のユーザーに結露水が降りかかることを防止できるという効果を奏する。
【００２１】
また、遠心送風羽根の表面に、汚れを防止するコーティングを設けたという構成にしてもよい。これにより、遠心送風羽根のお手入れをしなくとも埃が遠心送風羽根に付着することがなく、埃が付着することで風量が低下し回転数が増加することを防ぐこととなるので、お手入れの手間をなくし、圧力損失により騒音の増大を防ぐことができるという効果を奏する。
【００２２】
また、アダプターとフレームの嵌合手段として、どちらか一方に爪形状を設け、対向する場所に前記爪形状が嵌まり込む穴形状を設け、この嵌合部周辺にパッキン部材を貼り付けたという構成にしてもよい。これにより、アダプターやフレームに嵌合用の爪を設け、フレームとアダプターを密着させ、また、嵌合部の周囲にパッキン部材を貼り付けることでフレーム外からの冷気をフレーム内に侵入することを防ぎ、結果結露水の発生を防ぐこととなるので、結露水の発生量を少なくすることができるという効果を奏する。
【００２３】
また、アダプター部とフレームとの接合部分にそれぞれ対応する凸凹形状を有し、前記アダプターと前記フレームとの接合手段を、前記アダプター部側に設ける爪形状部によって上下にスライドさせ前記アダプターと前記フレームとを取り外し可能としたという構成にしてもよい。これにより、アダプターとフレームとの接合が迷路構造になるので、フレーム外からの冷気をフレーム内に侵入することを防ぎ、結果結露水の発生を防ぐこととなるので、結露水の発生量を少なくすることができるという効果を奏する。
【００２４】
以下、本発明の実施の形態について、図面を参照しながら説明する。
【００２５】
（実施の形態１）
図１から図３に示すように、天井裏１に挿入して取り付けられ、下面に室内側２に臨む開口９を有する箱状のフレーム３と、フレーム３内に、下面に吸込口４を有し側面に吐出口５を有したスクロール状のケーシング６と、ケーシング６内に配設される遠心送風羽根７と、フレーム３の一側面に吐出口５と連通しダクトと接続される突出形状を有したアダプター８と、開口９を室内側２から覆って着脱自在に装着される化粧パネル１０と、遠心送風羽根７を回転駆動する電動機１１をフレーム３の天面１２に備え、吸込口４を形成するオリフィス１３を有したケーシングカバー１４をケーシング６の下面の吸込口４を覆うように備えた天井埋込形換気扇であって、フレーム３の外郭を形成している面のうち少なくとも一面に傾斜形状部１５を設け、フレーム３の天面１２を、電動機１１の外郭の大きさよりも大きく、スクロール状のケーシング６の大きさよりも小さい鋼板の板で形成した構成となっている。
【００２６】
また、遠心送風羽根７を回転駆動する電動機１１への電源接続部１６は、フレーム３の天面１２上の電動機１１の近傍に設けた構成となっている。遠心送風羽根７においては、遠心送風羽根７の主板１７が、電動機１１を下面からみて完全に電動機１１を覆い、遠心送風羽根７の中心に備えたボス形状１８の下端を閉鎖し、電動機１１のシャフト１９に圧入し固定し、遠心送風羽根７の表面には汚れを防止するコーティングを設けた構成となっている。
【００２７】
また、ケーシングカバー１４に備えたオリフィス１３のベルマウス２０の高さを、アダプター８の先端の筒形状の下面２１の高さよりも高くし、ケーシングカバーの内底面に吸湿材２２を貼り付けた構成とする。
【００２８】
また、図５および図６に示すように、アダプター８とフレーム３の嵌合手段として、どちらか一方に爪形状２３を設け、対向する場所に前記爪形状が嵌まり込む穴形状２４を設け、この嵌合部周辺にパッキン部材２５を貼り付けた構成とする。
【００２９】
上記構成により、フレーム３の外郭を形成する少なくとも一面を傾斜形状部とすることで、フレーム３の外郭の表面積を少なくすることでき、浴室空間と天井裏空間の温度境界となりうる面積を減少させることができるのでフレーム３から発生する結露水量を低減することができる。また、図４に示すように、前述の傾斜形状部１５は、アダプター８を有する面と対向する位置に配置し、上方に向かうに従ってアダプター８側に傾斜した構成とすることにより、突出形状を有したアダプター８を先に天井裏１に挿入してから回転させ本体を天井裏１に挿入するとき、形成した傾斜形状部１５により天井に設けた開口穴２６に引っかかることなく天井埋込形換気扇を取付けるようになり、アダプター８を外すことなく短時間で容易な施工が可能となる。
【００３０】
また、天面１２を構成している熱伝導率が高い鋼板の板の面積を小さくすることによって、冷気がフレーム３内に伝導することを大幅に低減することができるので、結露の発生を抑制することに対してさらに効果を高めることができる。また、天面１２の下部に樹脂の板２７を設け、樹脂の板２７には電動機１１の外郭の大きさよりも少し大きい穴を設け、穴を貫通させて電動機１１を天面１２に固定した構成とすることで、熱伝導作用の低い樹脂の板により天井裏空間の冷気がフレーム３内に伝導しにくくなるため更なる結露の発生を抑制する効果が見込まれることになる。前述の樹脂の板２７を設ける場合、同じく前述の鋼板の板を設けなくても、結露の発生を抑制することに関して同様の効果が得られるし、天井埋込形換気扇の低コスト化、軽量化という他の効果も相乗して得られることになる。
【００３１】
また、電源接続部１６を天面１２上に配することで、電動機１１へ電源を供給する電源線をフレーム３の内部に引き込むことがないのでフレームに電源引き込み穴を設ける必要がなく、フレーム３の内部への冷気の侵入がなくなるので、浴室空間で発生し、フレームの内部に充満した高湿度かつ温かい空気は冷やされることがなく結露の発生を抑制することができる。それと同時に浴室内の高湿度の空気が天井裏空間に流出することもなくなるので、天井裏空間の乾燥状態を維持することができ、天井裏空間に配した電源接続部１６のさらなる安全性を確保することができる。また、天井裏空間の建築建材に対しても、湿気の悪影響を抑制するということにもなる。
【００３２】
また、遠心送風羽根７の主板１７によって電動機１１を覆い、閉鎖されたボス形状１８により電動機１１のシャフト１９を覆うことで、電動機１１の表面やシャフト１９に湿気が接触し難くなり、錆および結露の発生を抑制することができる。また、コーティングによって埃が付着しにくくなった遠心送風羽根７により、長期の使用においても羽根の送風効率が低下しにくくなり、埃付着により羽根回転数が増加し、騒音が増大することも防止することができる。前述したコーティングによる効果は、遠心送風羽根７の成形の際に、帯電防止の効果を持ち静電気による埃付着のリスクを減らす添加物を混入しても得ることができる。
【００３３】
また、ケーシングカバー１４に備えたオリフィス１３のベルマウス２０の高さを、アダプター８の先端の筒形状の下面２１の高さよりも高くすることにより、ケーシング６内で発生した結露水が連続使用などでオリフィス１３の内部に溜まっても、ベルマウス２０の高さを超えて浴室内に滴下する前に、ベルマウス２０よりも高さの低いアダプターの先端、ダクトを経由し屋外へ排出されることになる。また、ケーシングカバー１４の内底面に吸湿材２２を貼り付けた構成とすることで、保水力が増し、より確実に浴室内への結露水滴下を防止することができるようになる。また、この吸湿材に吸収された水分は天井埋込形換気扇の送風により蒸発し、繰り返し使用できるという特徴を持たせることができる。
【００３４】
また、アダプター８やフレーム３に嵌合用の爪形状２３を設け、フレームとアダプターを密着させ、また、嵌合部の周囲にパッキン部材２５を貼り付けることでフレーム３の外からの冷気をフレーム３内に侵入することを防ぎ、結果結露水の発生を防ぐことができる。また、前述の嵌合用の爪形状２３は天井埋込形換気扇の施工時にはフレーム３とアダプター８とを一体として保持できるようになることから、前述したフレーム３に傾斜形状部１５を設けた構成と併用することはとても効果的であるといえる。また、必要に応じてフレーム３とアダプター８の嵌合を工具無しで外すことができるので、あらゆる施工のシーンにおいて有効的な構造である。前述の嵌合部周囲に貼り付けのパッキン部材２５の代わりに、アダプター部とフレームとの接合部分にそれぞれ対応する凸凹形状２８を有し、アダプター８とフレーム３との接合手段を、上下にスライドさせアダプター８とフレーム３とを取り外し可能とした構成としても、アダプター８とフレーム３の接合が図７に示すような迷路構造になるので、同様に結露水の発生を抑制するという効果が得られるとともに、パッキン部材２５の経年劣化を心配することがないので、低コストかつ信頼性の高い構造を得られることが可能となる。
【００３５】
このように本発明の実施の形態１の天井埋込形換気扇によれば、浴室に取り付けられた天井埋込形換気扇のダクト以外の部分で発生した結露水の発生を抑え、入浴中のユーザーに結露水が降りかかることを防止できることとなる。また、フレームの天面からの結露水の発生量を少なくすることができることとなる。また、アダプターを外すことなく天井埋込形換気扇を取付けることができ、施工性を向上させることができるとともに長期使用においても羽根への埃付着による送風効率の低下を軽減させ、騒音が増大することも防止することとなり、ユーザーにお手入れの手間をなくすことができることとなる。
【００３６】
（実施の形態２）
実施の形態２は、上記実施の形態１に対し、ケーシング６とフレーム３とを同一部品で形成し、オリフィス１３を有したケーシングカバー１４を前記ケーシング６の下面の吸込口４を覆うように室内側の下面から取付けられる構成とした点が異なる。
【００３７】
上記構成により、ケーシング６とフレーム３とを同一部品で形成することで部品の継ぎ目が少なくなり、部品の継ぎ目からの冷気の侵入や、発生した結露水が部品の継ぎ目から流れ出ることを防ぐ。またケーシングカバー１４を室内側下面から取付けるので、取付け状態のままであっても、ケーシングカバー１４を室内側から外すことにより遠心送風羽根７のメンテナンスや取替えを容易に行う。
【００３８】
このように本発明の実施の形態２の天井埋込形換気扇によれば、フレームの内部からの結露水発生量を少なくすることができるとともに、天井埋込形換気扇のメンテナンス性を向上させることができることとなる。
【産業上の利用可能性】
【００３９】
本発明にかかる天井埋込形換気扇は、結露水の滴下を減少させることを可能とするものであるので、浴室に使用され、天井に埋め込んだスクロール形状と遠心送風羽根を有する換気扇等として有用である。
【符号の説明】
【００４０】
１    天井裏
２    室内側
３    フレーム
４    吸込口
５    吐出口
６    ケーシング
７    遠心送風羽根
８    アダプター
９    開口
１０  化粧パネル
１１  電動機
１２  天面
１３  オリフィス
１４  ケーシングカバー
１５  傾斜形状部
１６  電源接続部
１７  主板
１８  ボス形状
１９  シャフト
２０  ベルマウス
２１  筒形状の下面
２２  吸湿材
２３  爪形状
２４  穴形状
２５  パッキン部材
２６  開口穴
２７  樹脂の板
２８  凸凹形状
【図１】
0005533243.tif 000002
【図２】
0005533243.tif 000003
【図３】
0005533243.tif 000004
【図４】
0005533243.tif 000005
【図５】
0005533243.tif 000006
【図６】
0005533243.tif 000007
【図７】
0005533243.tif 000008
【図８】
0005533243.tif 000009